【手続補正書】
【提出日】平成18年5月17日(2006.5.17)
【手続補正１】
【補正対象書類名】明細書
【補正対象項目名】発明の名称
【補正方法】変更
【補正の内容】
【発明の名称】コンテンツ提供装置
【手続補正２】
【補正対象書類名】明細書
【補正対象項目名】特許請求の範囲
【補正方法】変更
【補正の内容】
【特許請求の範囲】
【請求項１】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、無料で又は所定の料金により閲覧させるためのコンテンツ提示手段と、
一つ又は複数のブロック（１つのコンテンツの全ブロックを含む）のデータをダウンードにより取得するための価格をユーザー側に提示するためのデータ価格提示手段と、
一つ又は複数のブロック（１つのコンテンツの全ブロックを含む）をネットワークを介して見ることを可能にするためのデータアクセス権を取得するための価格をユーザー側に提示するためのアクセス権価格提示手段と、
ユーザー側が前記データの取得か前記アクセス権の取得かのいずれかを選択するための選択画面を、ユーザー側に提示するための選択画面提示手段と、
ユーザー側が前記選択画面により前記データの取得か前記アクセス権の取得かのいずれかを選択し、且つ、所定の価格を支払ったか又はその支払いを承認したとき、そのユーザー側が選択した一つ又は複数のブロック（１つのコンテンツの全ブロックを含む）のデータ又はデータアクセス権を、ユーザー側に提供又は販売するためのブロック提供・販売手段と、
を備えたコンテンツ提供装置。
【請求項２】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、無料で又は所定の料金により閲覧させるためのコンテンツ提示手段と、
前記コンテンツの全部のデータをダウンードにより取得するための価格、又は、前記コンテンツの全部をネットワークを介して見ることを可能にするためのデータアクセス権を取得するための価格を、ユーザー側に提示するためのコンテンツ全部価格提示手段と、
前記コンテンツの一部を構成する一つ又は複数のブロックのデータをダウンードにより取得するための価格、又は、前記コンテンツの一部を構成する一つ又は複数のブロックをネットワークを介して見ることを可能にするためのデータアクセス権を取得するための価格を、ユーザー側に提示するためのコンテンツ一部価格提示手段と、
ユーザー側が前記コンテンツの全部の取得か前記コンテンツの一部の取得かのいずれかを選択するための選択画面を、ユーザー側に提示するための選択画面提示手段と、
ユーザー側が前記選択画面により前記コンテンツの全部の取得か前記コンテンツの一部の取得かのいずれかを選択し、且つ、所定の価格を支払ったか又はその支払いを承認したとき、そのユーザー側が選択した前記コンテンツの全部のデータ又はデータアクセス権か、前記コンテンツの一部のデータ又はデータアクセス権かのいずれかを、ユーザー側に提供又は販売するためのブロック提供・販売手段と、
を備えたコンテンツ提供装置。
【請求項３】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、無料で又は所定の料金により閲覧させるためのコンテンツ提示手段と、
前記コンテンツの全部のデータをダウンードにより取得するための価格、又は、前記コンテンツの全部をネットワークを介して見ることを可能にするためのデータアクセス権を取得するための価格を、ユーザー側に提示するためのコンテンツ全部価格提示手段と、
前記コンテンツの一部を構成する複数のブロックの組み合わせのデータをダウンードにより取得するための価格、又は、前記コンテンツの一部を構成する複数のブロックの組み合わせをネットワークを介して見ることを可能にするためのデータアクセス権を取得するための価格を、ユーザー側に提示するための複数ブロック価格提示手段と、
ユーザー側が前記コンテンツの全部の取得か前記コンテンツの複数ブロックの組み合わせの取得かのいずれかを選択するための選択画面を、ユーザー側に提示するための選択画面提示手段と、
ユーザー側が前記選択画面により前記コンテンツの全部の取得か前記コンテンツの一部の取得かのいずれかを選択し、且つ、所定の価格を支払ったか又はその支払いを承認したとき、そのユーザー側が選択した前記コンテンツの全部のデータ又はデータアクセス権か、前記コンテンツの複数ブロックの組み合わせのデータ又はデータアクセス権かのいずれかを、ユーザー側に提供又は販売するためのブロック提供・販売手段と、
を備えたコンテンツ提供装置。
【請求項４】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、無料で又は所定の料金の支払い又はその支払いの承認を条件として、閲覧させるためのコンテンツ提示手段と、
ユーザー側が第１の価格での料金の支払い又はその支払いの承認をしたときは、前記コンテンツの一部又は全部を高解像度で示す画面によりユーザー側に閲覧させると共に、ユーザー側が第１の料金の支払い又はその支払いの承認をしないときは、すなわち、ユーザー側が無料で閲覧させることを選択したか又はユーザー側が前記第１の価格よりも少ない第２の価格の料金の支払い又はその支払いの承認をしたときは、前記コンテンツの一部又は全部を低解像度で示す画面によりユーザー側に閲覧させるように、前記コンテンツ提示手段を制御するためのコンテンツ提示制御手段と、
を備えたコンテンツ提供装置。
【請求項５】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、無料で又は所定の料金の支払い又はその支払いの承認を条件として、閲覧させるためのコンテンツ提示手段と、
ユーザー側が第１の価格での料金の支払い又はその支払いの承認をしたときは、前記コンテンツの一部又は全部を高解像度の画像データ又はテキストデータによりユーザー側に閲覧させると共に、ユーザー側が第１の料金の支払い又はその支払いの承認をしないときは、すなわち、ユーザー側が無料で閲覧させることを選択したか又はユーザー側が前記第１の価格よりも少ない第２の価格の料金の支払い又はその支払いの承認をしたときは、前記コンテンツの一部又は全部を低解像度の画像データによりユーザー側に閲覧させるように、前記コンテンツ提示手段を制御するためのコンテンツ提示制御手段と、
を備えたコンテンツ提供装置。
【請求項６】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、無料で又は所定の料金の支払い又はその支払いの承認を条件として、閲覧させるためのコンテンツ提示手段と、
前記閲覧に際して、ユーザー側が第１の価格での料金を支払ったか又はその支払いを承認したときは、前記コンテンツの一部又は全部をテキストデータによりユーザー側に閲覧させると共に、ユーザー側が第１の料金の支払い又はその支払いの承認をしないときは、すなわち、ユーザー側が無料で閲覧させることを選択したか又はユーザー側が前記第１の価格よりも少ない第２の価格の料金を支払ったか又はその支払いを承認したときは、前記コンテンツの一部又は全部を画像データによりユーザー側に閲覧させるように、前記コンテンツ提示手段を制御するためのコンテンツ提示制御手段と、
を備えたコンテンツ提供装置。
【請求項７】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、閲覧させるためのコンテンツ提示手段と、
前記閲覧に際して、前記のユーザー側による閲覧が開始されてから所定の時間が経過するまでは、前記コンテンツの一部又は全部を高解像度の画像データ又はテキストデータによりユーザー側に閲覧させると共に、前記のユーザー側による閲覧が開始されてから所定の時間が経過した後は、前記コンテンツの一部又は全部を低解像度の画像データによりユーザー側に閲覧させるように、前記コンテンツ提示手段を制御するためのコンテンツ提示制御手段と、
を備えたコンテンツ提供装置。
【請求項８】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、閲覧させるためのコンテンツ提示手段と、
前記閲覧に際して、前記のユーザー側による閲覧が開始されてから所定の時間が経過するまでは、前記コンテンツの一部又は全部をテキストデータによりユーザー側に閲覧させると共に、前記のユーザー側による閲覧が開始されてから所定の時間が経過した後は、前記コンテンツの一部又は全部を画像データによりユーザー側に閲覧させるように、前記コンテンツ提示手段を制御するためのコンテンツ提示制御手段と、
を備えたコンテンツ提供装置。
【請求項９】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、閲覧させるためのコンテンツ提示手段と、
前記のユーザー側による閲覧が開始されてから所定の時間が経過するまでは、無料又は所定の価格の料金の支払い又はその支払いの承認を条件として前記コンテンツの一部又は全部をユーザー側に閲覧させると共に、前記のユーザー側による閲覧が開始されてから所定の時間が経過した後は、前記コンテンツの一部又は全部の閲覧を停止するように、前記コンテンツ提示手段を制御するためのコンテンツ提示制御手段と、
を備えたコンテンツ提供装置。
【請求項１０】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、閲覧させるためのコンテンツ提示手段と、
前記のユーザー側による閲覧が開始されてから所定の時間が経過するまでは、無料で又は第１の価格の料金の支払い又はその支払いの承認を条件として、前記コンテンツの一部又は全部をユーザー側に閲覧させると共に、前記のユーザー側による閲覧が開始されてから所定の時間が経過した後は、前記所定の時間が経過するまで無料で閲覧していたときは有料で、また、前記所定の時間が経過するまで前記第１の価格の料金の支払い又はその支払いの承認を条件として閲覧していたときは前記第１の価格よりも高額の第２の価格の料金の支払い又はその支払いの承認を条件として、前記コンテンツの一部又は全部をユーザー側に閲覧させるように、前記コンテンツ提示手段を制御するためのコンテンツ提示制御手段と、
を備えたコンテンツ提供装置。
【請求項１１】
「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、
前記コンテンツの一部又は全部を、通信ネットワークを介して、ユーザー側に、所定の料金の支払い又はその支払いの承認を条件に、閲覧させるためのコンテンツ提示手段と、
前記コンテンツの全部又は一部のデータをダウンードにより取得するための価格、又は、前記コンテンツの全部又は一部をネットワークを介して見ることを可能にするためのデータアクセス権を取得するための価格を、ユーザー側に提示するためのコンテンツ価格提示手段と、
ユーザー側が前記コンテンツの全部又は一部のデータ又はアクセス権の取得のために「支払うべき価格」を支払ったか又はその支払いを承認したとき、前記コンテンツ提示手段による閲覧のためにユーザー側が支払ったか又はその支払いを承認した料金の価格を、前記の「支払うべき価格」から差し引くか又は前記ユーザーに返還するための価格調整手段と、
を備えたコンテンツ提供装置。
【手続補正３】
【補正対象書類名】明細書
【補正対象項目名】０００５
【補正方法】変更
【補正の内容】
【０００５】
【課題を解決するための手段】
（１）最初に、本明細書における用語の定義を説明する。本明細書における「ブロック」「文字コンテンツ・ブロック」「文字コンテンツ（見出し、目次、及び本文）」には、文字だけでなく、表、グラフ、図形、画像などのデータをも部分的に含むものでもよい。また、本明細書において、「タイトル」とは、「見出し」又は「小見出し」を言い、雑誌や書籍や新聞の全体の題名だけでなく、それらの中の各ブロック（章節や記事）の小見出しをも含む。
（２）本願の特許請求の範囲に記載している発明は次のとおりである。
１．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、無料で又は所定の料金により閲覧させるためのコンテンツ提示手段と、一つ又は複数のブロック（１つのコンテンツの全ブロックを含む）のデータをダウンードにより取得するための価格をユーザー側に提示するためのデータ価格提示手段と、一つ又は複数のブロック（１つのコンテンツの全ブロックを含む）をネットワークを介して見ることを可能にするためのデータアクセス権を取得するための価格をユーザー側に提示するためのアクセス権価格提示手段と、ユーザー側が前記データの取得か前記アクセス権の取得かのいずれかを選択するための選択画面を、ユーザー側に提示するための選択画面提示手段と、ユーザー側が前記選択画面により前記データの取得か前記アクセス権の取得かのいずれかを選択し、且つ、所定の価格を支払ったか又はその支払いを承認したとき、そのユーザー側が選択した一つ又は複数のブロック（１つのコンテンツの全ブロックを含む）のデータ又はデータアクセス権を、ユーザー側に提供又は販売するためのブロック提供・販売手段と、を備えたコンテンツ提供装置。
２．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、無料で又は所定の料金により閲覧させるためのコンテンツ提示手段と、前記コンテンツの全部のデータをダウンードにより取得するための価格、又は、前記コンテンツの全部をネットワークを介して見ることを可能にするためのデータアクセス権を取得するための価格を、ユーザー側に提示するためのコンテンツ全部価格提示手段と、前記コンテンツの一部を構成する一つ又は複数のブロックのデータをダウンードにより取得するための価格、又は、前記コンテンツの一部を構成する一つ又は複数のブロックをネットワークを介して見ることを可能にするためのデータアクセス権を取得するための価格を、ユーザー側に提示するためのコンテンツ一部価格提示手段と、ユーザー側が前記コンテンツの全部の取得か前記コンテンツの一部の取得かのいずれかを選択するための選択画面を、ユーザー側に提示するための選択画面提示手段と、ユーザー側が前記選択画面により前記コンテンツの全部の取得か前記コンテンツの一部の取得かのいずれかを選択し、且つ、所定の価格を支払ったか又はその支払いを承認したとき、そのユーザー側が選択した前記コンテンツの全部のデータ又はデータアクセス権か、前記コンテンツの一部のデータ又はデータアクセス権かのいずれかを、ユーザー側に提供又は販売するためのブロック提供・販売手段と、を備えたコンテンツ提供装置。
３．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、無料で又は所定の料金により閲覧させるためのコンテンツ提示手段と、前記コンテンツの全部のデータをダウンードにより取得するための価格、又は、前記コンテンツの全部をネットワークを介して見ることを可能にするためのデータアクセス権を取得するための価格を、ユーザー側に提示するためのコンテンツ全部価格提示手段と、前記コンテンツの一部を構成する複数のブロックの組み合わせのデータをダウンードにより取得するための価格、又は、前記コンテンツの一部を構成する複数のブロックの組み合わせをネットワークを介して見ることを可能にするためのデータアクセス権を取得するための価格を、ユーザー側に提示するための複数ブロック価格提示手段と、ユーザー側が前記コンテンツの全部の取得か前記コンテンツの複数ブロックの組み合わせの取得かのいずれかを選択するための選択画面を、ユーザー側に提示するための選択画面提示手段と、ユーザー側が前記選択画面により前記コンテンツの全部の取得か前記コンテンツの一部の取得かのいずれかを選択し、且つ、所定の価格を支払ったか又はその支払いを承認したとき、そのユーザー側が選択した前記コンテンツの全部のデータ又はデータアクセス権か、前記コンテンツの複数ブロックの組み合わせのデータ又はデータアクセス権かのいずれかを、ユーザー側に提供又は販売するためのブロック提供・販売手段と、を備えたコンテンツ提供装置。
４．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、無料で又は所定の料金の支払い又はその支払いの承認を条件として、閲覧させるためのコンテンツ提示手段と、ユーザー側が第１の価格での料金の支払い又はその支払いの承認をしたときは、前記コンテンツの一部又は全部を高解像度で示す画面によりユーザー側に閲覧させると共に、ユーザー側が第１の料金の支払い又はその支払いの承認をしないときは、すなわち、ユーザー側が無料で閲覧させることを選択したか又はユーザー側が前記第１の価格よりも少ない第２の価格の料金の支払い又はその支払いの承認をしたときは、前記コンテンツの一部又は全部を低解像度で示す画面によりユーザー側に閲覧させるように、前記コンテンツ提示手段を制御するためのコンテンツ提示制御手段と、を備えたコンテンツ提供装置。
５．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、無料で又は所定の料金の支払い又はその支払いの承認を条件として、閲覧させるためのコンテンツ提示手段と、ユーザー側が第１の価格での料金の支払い又はその支払いの承認をしたときは、前記コンテンツの一部又は全部を高解像度の画像データ又はテキストデータによりユーザー側に閲覧させると共に、ユーザー側が第１の料金の支払い又はその支払いの承認をしないときは、すなわち、ユーザー側が無料で閲覧させることを選択したか又はユーザー側が前記第１の価格よりも少ない第２の価格の料金の支払い又はその支払いの承認をしたときは、前記コンテンツの一部又は全部を低解像度の画像データによりユーザー側に閲覧させるように、前記コンテンツ提示手段を制御するためのコンテンツ提示制御手段と、を備えたコンテンツ提供装置。
６．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、無料で又は所定の料金の支払い又はその支払いの承認を条件として、閲覧させるためのコンテンツ提示手段と、前記閲覧に際して、ユーザー側が第１の価格での料金を支払ったか又はその支払いを承認したときは、前記コンテンツの一部又は全部をテキストデータによりユーザー側に閲覧させると共に、ユーザー側が第１の料金の支払い又はその支払いの承認をしないときは、すなわち、ユーザー側が無料で閲覧させることを選択したか又はユーザー側が前記第１の価格よりも少ない第２の価格の料金を支払ったか又はその支払いを承認したときは、前記コンテンツの一部又は全部を画像データによりユーザー側に閲覧させるように、前記コンテンツ提示手段を制御するためのコンテンツ提示制御手段と、を備えたコンテンツ提供装置。
７．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、閲覧させるためのコンテンツ提示手段と、前記閲覧に際して、前記のユーザー側による閲覧が開始されてから所定の時間が経過するまでは、前記コンテンツの一部又は全部を高解像度の画像データ又はテキストデータによりユーザー側に閲覧させると共に、前記のユーザー側による閲覧が開始されてから所定の時間が経過した後は、前記コンテンツの一部又は全部を低解像度の画像データによりユーザー側に閲覧させるように、前記コンテンツ提示手段を制御するためのコンテンツ提示制御手段と、を備えたコンテンツ提供装置。
８．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、閲覧させるためのコンテンツ提示手段と、前記閲覧に際して、前記のユーザー側による閲覧が開始されてから所定の時間が経過するまでは、前記コンテンツの一部又は全部をテキストデータによりユーザー側に閲覧させると共に、前記のユーザー側による閲覧が開始されてから所定の時間が経過した後は、前記コンテンツの一部又は全部を画像データによりユーザー側に閲覧させるように、前記コンテンツ提示手段を制御するためのコンテンツ提示制御手段と、を備えたコンテンツ提供装置。
９．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、閲覧させるためのコンテンツ提示手段と、前記のユーザー側による閲覧が開始されてから所定の時間が経過するまでは、無料又は所定の価格の料金の支払い又はその支払いの承認を条件として前記コンテンツの一部又は全部をユーザー側に閲覧させると共に、前記のユーザー側による閲覧が開始されてから所定の時間が経過した後は、前記コンテンツの一部又は全部の閲覧を停止するように、前記コンテンツ提示手段を制御するためのコンテンツ提示制御手段と、を備えたコンテンツ提供装置。
１０．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、閲覧させるためのコンテンツ提示手段と、前記のユーザー側による閲覧が開始されてから所定の時間が経過するまでは、無料で又は第１の価格の料金の支払い又はその支払いの承認を条件として、前記コンテンツの一部又は全部をユーザー側に閲覧させると共に、前記のユーザー側による閲覧が開始されてから所定の時間が経過した後は、前記所定の時間が経過するまで無料で閲覧していたときは有料で、また、前記所定の時間が経過するまで前記第１の価格の料金の支払い又はその支払いの承認を条件として閲覧していたときは前記第１の価格よりも高額の第２の価格の料金の支払い又はその支払いの承認を条件として、前記コンテンツの一部又は全部をユーザー側に閲覧させるように、前記コンテンツ提示手段を制御するためのコンテンツ提示制御手段と、を備えたコンテンツ提供装置。
１１．「それぞれが独自のタイトル又は見出しを有し、文字、表、グラフ、図形、画像などから成る一つの纏まりのある内容を有しているコンテンツ・ブロック」が複数個組み合わされて成る雑誌、書籍又は新聞などのコンテンツの全部を記録するコンテンツ記録手段と、前記コンテンツの一部又は全部を、通信ネットワークを介して、ユーザー側に、所定の料金の支払い又はその支払いの承認を条件に、閲覧させるためのコンテンツ提示手段と、前記コンテンツの全部又は一部のデータをダウンードにより取得するための価格、又は、前記コンテンツの全部又は一部をネットワークを介して見ることを可能にするためのデータアクセス権を取得するための価格を、ユーザー側に提示するためのコンテンツ価格提示手段と、ユーザー側が前記コンテンツの全部又は一部のデータ又はアクセス権の取得のために「支払うべき価格」を支払ったか又はその支払いを承認したとき、前記コンテンツ提示手段による閲覧のためにユーザー側が支払ったか又はその支払いを承認した料金の価格を、前記の「支払うべき価格」から差し引くか又は前記ユーザーに返還するための価格調整手段と、を備えたコンテンツ提供装置。
（３）本願の特許請求の範囲に記載しているものではないが、本明細書は次のような発明も含んでいる。
Ａ．「それぞれがタイトル及び本文を有し一つの纏まりのある内容を有している文字コンテンツ・ブロック」が複数個結合されて成る雑誌、書籍又は新聞の文字コンテンツの全体を、通信ネットワークを介して、ユーザーに、無料又は所定のタイムチャージ料金により開示する文字コンテンツ開示ステップ、ユーザーが、前記の開示された文字コンテンツを概観して、自分の希望する文字コンテンツ・ブロックを一つ又は複数個だけ選択するブロック選択ステップ、前記のユーザーが選択したブロックのアクセス権又はデータを、ユーザーに提供又は販売するブロック提供又は販売ステップ、前記の提供又は販売ステップと同時に又はこれと相前後して、ユーザーが前記提供又は販売を受けたブロック（１つのコンテンツに含まれる全ブロックでもよい）に対応する料金を支払う支払ステップ、を含むことを特徴とする文字コンテンツ提供方法。
Ｂ．「それぞれがタイトル及び本文を有し一つの纏まりのある内容を有している文字コンテンツ・ブロック」が複数個結合されて成る雑誌、書籍又は新聞の文字コンテンツの全体を記録する文字コンテンツ記録手段、前記コンテンツの全体を、通信ネットワークを介して、ユーザーに、無料又は所定のタイムチャージ料金により開示する文字コンテンツ開示手段と、ユーザーが選択したブロック（１つのコンテンツに含まれる全ブロックでもよい）に対応する価格をユーザーに提示する価格提示手段と、ユーザーが選択した一つ又は複数のブロックのアクセス権又はデータを、ユーザーに提供又は販売するブロック提供又は販売手段と、を備えた文字コンテンツ提供システム。
Ｃ．上記Ａにおいて、前記文字コンテンツ開示ステップは、コンテンツの全体を、所定時間だけ、無料又は所定のタイムチャージ料金で開示するものである、文字コンテンツ提供方法。
Ｄ．上記Ｂにおいて、前記文字コンテンツ開示手段は、コンテンツの全体を、所定時間だけ、無料又は所定のタイムチャージ料金で開示するものである、文字コンテンツ提供システム。
Ｅ．上記Ａにおいて、さらに、前記のユーザーがアクセス権又はデータの提供又は販売を希望するブロックを選択するときの参考とするために、前記ブロックの幾つか又は全てについてそれぞれ予め付与された価格を、通信ネットワークを介して、ユーザーに、無料又は所定のタイムチャージ料金により開示する価格開示ステップ、を含むことを特徴とする文字コンテンツ提供方法。
Ｆ．上記Ｂにおいて、さらに、前記ブロックの幾つか又は全てについて、それぞれ予め付与された価格を記録する価格記録手段と、前記各ブロックの価格を、通信ネットワークを介して、ユーザーに、無料又は所定のタイムチャージ料金により開示する価格開示手段と、を備えたことを特徴とする文字コンテンツ提供システム。
Ｇ．「それぞれがタイトル及び本文を有し一つの纏まりのある内容を有している文字コンテンツ・ブロック」が複数個結合されて成る雑誌、書籍又は新聞の文字コンテンツの全体又はその一部を、ネットワークを介してユーザーに開示するための文字コンテンツ開示装置であって、前記コンテンツの全体又は一部と、前記コンテンツの全体又は各ブロックについてそのデータ又はアクセス権を購入するかどうかをユーザーに判断させるために必要な情報とを、ユーザーに、無料で又は所定のタイムチャージ料金で開示する文字コンテンツ開示装置。